(57)【要約】【課題】演奏者の権利を保護しつつ、ライブの一部のコンテンツをおみやげとして持ち帰ることのできるおみやげライブシステムとその録音ボックスを提供することを目的とする。【解決手段】複数の携帯端末３００Ａと、ライブ会場に設置された録音ボックス２００と、編集端末１０００と、少なくとも一つ以上のサーバ３０００と、ライブ会場で編集情報を入力して編集端末１０００と、編集情報を送信する編集携帯端末４００と、が通信回線１０にて相互に接続されたおみやげライブシステム。【選択図】図１
2011039257.tif 000002
【特許請求の範囲】
【請求項１】
複数の携帯端末と、ライブ会場に設置された録音ボックスと、編集端末と、少なくとも一つ以上のサーバと、ライブ会場で編集情報を入力して前記編集端末と編集情報を送信する編集携帯端末とが通信回線で相互に接続されたおみやげライブシステムであって、
前記携帯端末は、
前記サーバに記録されているライブ録音のデータを無線ＬＡＮを介して受信する受信部と、
受信したライブ録音のデータを再生する再生部と、
おみやげデータを入力する入力手段と、
おみやげ情報を表示する携帯表示手段と、
を備え、
前記録音ボックスは、
ライブ会場でのアナログ音声を収録するアナログ音声収集手段と、
前記アナログ音声収集手段により収録された音声データをデジタルデータに変換するＡＤ変換手段と、
ＡＤ変換されたデジタルデータを記憶する記憶手段と、
変換されたデジタルデータを通信回線を介して前記サーバに送信するアップロード手段と、
を備え、
前記編集端末は、
アップロードされたデジタルデータをライブコンテンツとして編集する編集手段と、
を備え、
前記サーバは、
アップロードされ、前記編集手段により編集されたデジタルデータを記憶するコンテンツ保存サーバと、
アクセスする権利の有無を認証する認証サーバと、
を備え、
前記サーバは、
前記携帯端末よりのアクセス権限を認証し、認証した場合に要求されたコンテンツ保存サーバより読みだして当該携帯端末に配信することを特徴とするおみやげライブシステム。
【請求項２】
前記アップロード手段は、録音曲順・曲名・曲区切りの制御信号を前記編集端末より予め入力し、入力された制御信号に基づきコンテンツ保存サーバにアップロードする請求項１に記載のおみやげライブシステム。
【請求項３】
前記配信は、マルチキャスト通信にて、前記コンテンツサーバより複数の契約が認証された前記各携帯端末へ同時配信し、
情報配信後、配信されたデータを前記携帯端末は、エラーチェックして送信されたデータのエラー部分を特定し、特定されたエラー部分のみを再送信要求することで、エラー部分のみをユニキャスト通信にて再送要求の携帯端末に送信する請求項１に記載のおみやげライブシステム。
【請求項４】
おみやげライブシステムに使用される録音ボックスであって、
ライブ会場でのアナログ音声を収録するアナログ音声収集手段と、
前記アナログ音声収集手段により収録された音声データをデジタルデータに変換するＡＤ変換手段と、
ＡＤ変換されたデジタルデータを記憶する記憶手段と、
変換されたデジタルデータを通信回線を介して前記サーバに送信するアップロード手段と、
を備えた録音ボックス。
【発明の詳細な説明】
【技術分野】
【０００１】
本発明は、おみやげライブシステム、およびその録音ボックスに関する。
【背景技術】
【０００２】
音楽が好きな人にとっては、人気のある演奏家によるライブは、大変魅力があり、高額な入場料を支払ってでも多くの人が集まることが多い。さらに、大変感激した実演を再度聞いて感激を呼び戻したいと思う人が多い。
【０００３】
そこで、ライブ会場では、演奏家の演奏したＣＤなどが販売されているが、大変混雑してなかなか購入できないことが多い。また、ライブとスタジオで収録され編集されたＣＤとでは、雰囲気も異なり、実演の雰囲気の再現とは異なる。
【０００４】
このような、ライブの雰囲気を再現でき持ち帰ることのできるシステムを、音楽が好きな人には望まれていた。
【０００５】
従来の近い技術としては、ライブ演奏等のリアルタイムに発生するオーディオ信号に基づいて、所定のデータベースから検索された歌詞テロップや背景映像等映像データを同期再生することができるコンテンツ再生装置が提案されている（特許文献1等参照）。
しかし、ライブの雰囲気を再現できるシステムではない。
【先行技術文献】
【特許文献】
【０００６】
【特許文献１】特開２００８−１４５９７５号公報
【発明の概要】
【発明が解決しようとする課題】
【０００７】
したがって、ライブ会場は混雑しているので、ライブ会場で収録したコンテンツを迅速にコンテンツサーバに収録することが必要である。また、ライブに参加した人々が同時にアクセスすると通信が輻輳し、参加した人の希望する時間内におみやげライブを配信することが難しい。本発明は、演奏者の権利を保護しつつ、ライブの一部のコンテンツをおみやげとして持ち帰ることのできるおみやげライブシステムとその録音ボックスを提供することを目的とする。
【課題を解決するための手段】
【０００８】
本発明者らは鋭意検討した結果、上記課題に対して不揮発記憶部を有する携帯端末と、無線ＬＡＮシステムを活用することの有効性に着目して、下記の発明を完成するに至った。
【０００９】
（１）  複数の携帯端末と、ライブ会場に設置された録音ボックスと、編集端末と、少なくとも一つ以上のサーバと、ライブ会場で編集情報を入力して前記編集端末と編集情報を送信する編集携帯端末とが通信回線で相互に接続されたおみやげライブシステムにおいて、前記携帯端末は、前記サーバに記録されているライブ録音のデータを無線ＬＡＮを介して受信する受信部と、おみやげ情報を表示する携帯表示手段と、を備え、前記録音ボックスは、ライブ会場でのアナログ音声を収録するアナログ音声収集手段と、前記アナログ音声収集手段により収録されたデータをデジタルデータに変換するＡＤ変換手段と、ＡＤ変換されたデジタルデータを記憶する記憶手段と、変換されたデジタルデータを通信回線を介して前記サーバに送信するアップロード手段と、を備え、前記編集端末は、アップロードされたデジタルデータをコンテンツとして編集する編集手段と、を備え、前記サーバは、アップロードされ、前記編集手段により編集されたデジタルデータを記憶するコンテンツ保存サーバと、アクセスする権利の有無を認証する認証サーバと、を備え、前記サーバは、前記携帯端末よりのアクセスを認証し、認証した場合に要求されたコンテンツ保存サーバより読みだして当該携帯端末に配信することを特徴とするおみやげライブシステム。
【００１０】
（１）の発明に係るおみやげライブシステムは、複数の携帯端末と、ライブ会場に設置された録音ボックスと、編集端末と、少なくとも一つ以上のサーバと、ライブ会場で編集情報を入力して前記編集端末と編集情報を送信する編集携帯端末とが通信回線で相互に接続されている。
【００１１】
携帯端末は、受信したライブ録音のデータを再生する再生部と、サーバに記録されているライブ録音のデータを無線ＬＡＮを介して受信する受信部と、受信したライブ録音のデータを再生する再生部と、受信したライブ録音のコンテンツを記憶する不揮発記憶部と、おみやげ情報を表示する携帯表示手段と、を有するので、当該携帯端末の所有者は、サーバに記憶されているおみやげライブのデータをコンテンツサーバより自己の携帯端末に受信して記憶し、おみやげライブとして持ち帰ることが出来る。
【００１２】
ここで、携帯端末は、ｗｉｎｄｏｗｓＭｏｂｉｌｅ（登録商標）対応の携帯電話機により実現することができ望ましい。しかし、同等な機能を有するものであれば、これに限られない。また、携帯端末はｉＰＯＤ（登録商標）、ＰＤＡ装置であっても良い。
【００１３】
（２）  前記アップロード手段は、録音曲順・曲名・曲区切りの制御信号を前記編集端末より予め入力し、入力された制御信号に基づきコンテンツ保存サーバにアップロードする（１）に記載のおみやげライブシステム。
【００１４】
（２）に記載の発明に係るおみやげライブシステムは、アップロード手段は、録音曲順・曲名・曲区切りの制御信号を前記編集端末より予め入力し、入力された制御信号に基づきコンテンツ保存サーバにアップロードする。
【００１５】
したがって、ライブデータの編集を的確にすることが出来る。曲名の区切りを的確に行うことは難しいとされていたが（たとえば、土井忠利・伊賀章共著「デジタル・オーデオ」株式会社ラジオ技術社  ページ３３５等参照）予め入力したり、ライブ会場で携帯編集端末により入力された制御信号により制御することで、短時間にコンテンツサーバにアップロードすることが出来る。
【００１６】
（３）  前記配信は、マルチキャスト通信にて、前記コンテンツサーバより複数の契約が認証された前記各携帯端末へ同時配信し、
情報配信後、配信されたデータを前記携帯端末は、エラーチェックして送信されたデータのエラー部分を特定し、特定されたエラー部分のみを再送信要求することで、エラー部分のみをユニキャスト通信にて再送要求の携帯端末に送信する（１）に記載のおみやげライブシステム。
【００１７】
（３）に記載の発明に係るおみやげライブシステムは、配信は、マルチキャスト通信にて、前記コンテンツサーバより複数の契約が認証された各携帯端末へ同時配信し、情報配信後、配信されたデータを前記携帯端末は、エラーチェックして送信されたデータのエラー部分を特定し、特定されたエラー部分のみを再送信要求することで、エラー部分のみをユニキャスト通信にて再送要求の携帯端末に送信するので、再送信要求が集中して輻輳により受信できないという問題を解決することが出来る。
【００１８】
（４）  おみやげライブシステムに使用される録音ボックスであって、ライブ会場でのアナログ音声を収録するアナログ音声収集手段と、前記アナログ音声収集手段により収録された音声データをデジタルデータに変換するＡＤ変換手段と、ＡＤ変換されたデジタルデータを記憶する記憶手段と、変換されたデジタルデータを通信回線を介して前記サーバに送信するアップロード手段と、を備えた録音ボックス。
【００１９】
（４）に記載の発明に係るおみやげライブシステムに使用される録音ボックスは、ライブ会場でのアナログ音声を収録するアナログ音声収集手段と、前記アナログ音声収集手段により収録された音声データをデジタルデータに変換するＡＤ変換手段と、ＡＤ変換されたデジタルデータを記憶する記憶手段と、変換されたデジタルデータを通信回線を介して前記サーバに送信するアップロード手段と、を備えるで、ライブ会場で収録された音声データを迅速にコンテンツサーバにアップロードすることが出来る。
【発明の効果】
【００２０】
以上説明したように、本発明によれば、ライブ会場で収録したデータを迅速にコンテンツサーバに収録し、また、ライブに参加した人が同時にアクセスしても参加した人におみやげライブを配信するおみやげライブシステムを提供することができる。
【図面の簡単な説明】
【００２１】
【図１】本発明の実施例である、おみやげライブシステムを示す図である。
【図２】本発明のおみやげライブシステムに使用される録音ボックスを表すブロック図である。
【図３】本発明のおみやげライブシステムに使用される録音ボックスの具体例を表す図である。
【図４】本発明のおみやげライブシステムに使用されるおみやげデータの配信シーケンスを表すブロック図である。
【図５】本発明のおみやげライブシステムに使用される編集携帯端末の操作を示す図である。
【図６】本発明に使用するサーバのハードウェアの一例である。
【図７】本発明に使用する携帯端末のハードウェアの一例である。
【発明を実施するための形態】
【００２２】
以下、本発明を実施するための形態について、音声データを例として図を参照しながら説明する。なお、これはあくまでも一例であって、本発明の技術的範囲はこれに限られるものではない。
【実施例１】
【００２３】
図１は、本発明の実施例である携帯電話端末をもちいたおみやげライブシステムを示す図である。図１に示すように、おみやげライブシステム１は、複数の携帯端末３００Ａと、携帯編集端末（リモコン）４００と、少なくとも一つ以上のコンピュータ端末４０Ａと、認証サーバ１０００と、Ｗｅｂクライアント１０００と、コンテンツ保存サーバ２０００と、録音ボックス２００とが通信回線１０で接続されている。コンピュータ端末４０Ａは、プレミアムユーザ向けのサービスを想定しており、通常のインターネットに接続することが出来るパソコンで実現することが出来る。
【００２４】
携帯端末３００Ａは入力手段２２と、おみやげライブ情報を表示する携帯表示２００８と、がある。
【００２５】
次に、本システムの動作について図１から図４を参照して説明をする。
図１に示すように、携帯端末３００Ａと、携帯編集端末（リモコン）４００とは、無線ＬＡＮを介してインターネットに接続されている。ライブ会場は、ビルの地下室であったり郊外の必ずしも携帯電話が接続されないところでも行われる。その点で、無線ＬＡＮを適用するのは有利である。
【００２６】
ライブ会場で演奏家の演奏は、録音ボックス２００により、図２に示すように、マイク１０と１２によりアナログ音声を収録して、アナログ音声収集手段２０を経由して、ＡＤ変換手段３０により、ＣＤ品質である４４．１ＫＨｚ／１６ｂｉｔのデジタル音声に変換される。変換されたデジタル信号は、コンテンツ保存サーバ２０００にアップロードシ手段５０によりアップロードされるが、アップロードは、録音曲順・曲名・曲区切りの制御信号を前記編集端末より予め入力し、入力された制御信号に基づきコンテンツ保存サーバ２０００にアップロードする。また、図５に示すように、ライブ会場に配置する編集端末４００にライブ会場の実情に合わせ、入力してもよい。このようにして、高品質なコンテンツデータが、短い時間で、コンテンツサーバ２０００に収録される。具体的には、図２に示すように録音ボックスは、それぞれの要素機器組み合わせて構成してもよい。
【００２７】
このようにして、収録されたコンテンツは、ライブが終了した際にライブに参加して、おみやげライブを希望する携帯端末３００Ａ、３００Ｂに送信して、持ち帰ることが出来る。しかし、１時にダウンロードすると、通信時間がかかり望ましくない。そこで、図４に示すように配信をすることで、合理的に解決することが出来る。つまり、ライブに参加して、所定の料金を支払ったユーザの携帯端末のＭＡＣコードを認証サーバ３０００に登録しておき、認証されたＭＡＣコードの携帯端末におみやげライブのコンテンツをマルチキャスト通信により同時に送信する（Ｓ１１０）。受信した携帯端末では、受信したコンテンツのエラーチェックが行われ、エラー部分が特定される。エラー部分のみをコンテンツサーバ２００と携帯端末３００Ａ間でユニキャスト送信により送信されて、エラー部分は回復する。
【００２８】
このようにして通信の輻輳を起こすことなく、短時間で認証され端末におみやげライブのコンテンツが配信される。
【００２９】
〈コンピュータハードウエア〉
図６は、おみやげライブシステムでサーバとして使用することができるコンピュータ１０００のハードウェア構成の一例を示す。コンピュータ１０００は、ＣＰＵ（Ｃｅｎｔｒａｌ  Ｐｒｏｃｅｓｓｉｎｇ  Ｕｎｉｔ）１０１０、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、パラレルポート１０８０、ＵＳＢポート１０９０、グラフィック・コントローラ１０２０、Ｉ／Ｏコントローラ１０７０、並びにキーボード及びマウス・アダプタ等１０９２を備える。Ｉ／Ｏコントローラ１０７０には、ハード・ディスク１０７４、光ディスクドライブ１０７６、半導体メモリ１０７８、等の記憶手段を接続することができる。これらの記憶手段を記憶装置として使用することができる。グラフィック・コントローラ１０２０には、表示装置１０２２が接続されている。
【００３０】
ＢＩＯＳ１０６０は、コンピュータ１０００の起動時にＣＰＵ１０１０が実行するブートプログラムや、コンピュータ１０００のハードウェアに依存するプログラム等を格納する。これにより、図１で示した、Ｗｅｂクライアント１０００、コンテンツ保存サーバ２０００、認証サーバ３０００、サーバ４０００のハードウェアが実現される。
【００３１】
光ディスクドライブ１０７６としては、例えば、ＣＤ−ＲＯＭドライブ、ＤＶＤ−ＲＯＭドライブ、ＤＶＤ−ＲＡＭドライブ、ＢＤ（Ｂｌｕ−ｒａｙ  Ｄｉｓｋ）−ＲＯＭドライブ等を使用することができる。この際は各ドライブに対応した光ディスク１０７７を使用する必要がある。光ディスク１０７７から光ディスクドライブ１０７６によりプログラムまたはデータを読み取り、Ｉ／Ｏコントローラ１０７０を介してメインメモリ１０５０またはハード・ディスク１０７４に提供することもできる。
【００３２】
コンピュータ１０００に提供される本発明によるコンピュータプログラムは、光ディスク１０７７、またはメモリーカード等の記録媒体に格納されて利用者によって提供される。コンピュータプログラムは、Ｉ／Ｏコントローラ１０７０を介して、記録媒体から読み出され、又は通信Ｉ／Ｆ１０４０を介してダウンロードされることによって、コンピュータ１０００にインストールされ実行される。
【００３３】
〈携帯端末のハードウェア〉
図７は、おみやげライブシステムで使用することができる携帯電話機２０００のハードウェア構成の一例を示す。図７に示すように基地局との間でデータの送受信を行うアンテナ２００１及び通信回路２００２と、受話音声、動画ファイルの音声、音楽データの音声等の音声出力を得るためのスピーカ部２００３と、送話音声を集音するマイクロホン部２００４と、受信した画像を表示する表示部２００６と、データを入力する操作部２００７と、おみやげライブ管理アプリケーションプログラム等が記憶されたメモリ２００８と、当該携帯端末全体の動作制御をおこなう制御部２０１０とを有している。
【００３４】
以上、本発明について、本発明の技術的範囲は上記実施形態に記載の範囲には限定されない。例えば、上記実施形態に、多様な変更又は改良を加えることができる。例えば、おみやげライブシステムについては、音楽のライブシステムについて主に説明したが、演歌のライブにも使用することができる。そのような変更又は改良を加えた形態も本発明の技術的範囲に含まれ得ることが、特許請求の範囲の記載から明らかである。
【符号の説明】
【００３５】
１０  通信回線
４０Ａ  端末
２００  録音ボックス
４００  携帯編集端末（リモコン）
１０００  Ｗｅｂクライアント
２０００  コンテツ保存サーバ
３０００  認証サーバ
４０００  サーバ
【図１】
2011039257.tif 000003
【図２】
2011039257.tif 000004
【図３】
2011039257.tif 000005
【図４】
2011039257.tif 000006
【図５】
2011039257.tif 000007
【図６】
2011039257.tif 000008
【図７】
2011039257.tif 000009